(57)【要約】【課題】既存のシリンダ錠に後付けが可能であり且つ防犯性の高い錠装置を提供する。【解決手段】本発明の錠装置１において、錠本体５には認証条件設定部１７と認証入力部１７と回転規制部１９とロック部２１とが設けてあり、回転規制部１９はキー挿入孔９から鍵孔７ａに挿入したキー１５の操作による回転体３の回転を規制するものであり、認証条件設定部１７は予め認証条件を設定するためのものであり、認証入力部１７はキー操作時に認証条件を入力するためのものであり、ロック部２１は認証条件設定部及び認証入力部１７と、回転規制部１９との間にあるとともに回転規制部１９の移動を規制するものであり、認証条件設定部１７で予め設定した認証条件が認証入力部１７に入力された入力情報と一致したときに、ロック部２１が回転規制部１９の移動規制を解除し、回転規制部１９が回転体３を回転規制している位置から解除位置へ移動自在になる。【選択図】図１
2007224672.tif 000002
【特許請求の範囲】
【請求項１】
戸の見付面に取付けた錠本体と、錠本体に回転自在に取付けた回転体とを備え、回転体はキー挿入孔を有し、キー挿入孔は戸に取付けたシリンダ錠の鍵穴の外側に位置するものであり、錠本体は認証条件設定部と認証入力部と回転規制部とロック部とを有し、回転規制部はキー挿入孔から鍵孔に挿入したキーの操作による回転体の回転を規制するものであり、認証条件設定部は予め認証条件を設定するためのものであり、認証入力部はキー操作時に認証条件を入力するためのものであり、ロック部は認証条件設定部及び認証入力部と、回転規制部との間にあると共に回転規制部の移動を規制するものであり、認証条件設定部で予め設定した認証条件が認証入力部に入力された入力情報と一致したときに、ロック部が回転規制部の移動規制を解除し、回転規制部が回転体を回転規制している位置から解除位置へ移動自在になることを特徴とする錠装置。
【請求項２】
回転体は、カム部と、係合部を有し、回転規制部は従動部と被係合部とを有し、ロック部が回転規制部の移動規制を解除したときに、キーの操作によって回転体が回転されることにより、カム部が従動部を押動して回転規制部を解除位置へ移動すると共に、係合部と被係合部との係合を解除することを特徴とする請求項１に記載の錠装置。
【発明の詳細な説明】
【技術分野】
【０００１】
本発明は、錠装置に関する。
【背景技術】
【０００２】
特許文献１には、既存のシリンダ錠を覆う蓋体を備えた錠本体を戸の室外側に取付け、錠本体に認証条件を入力することにより蓋体を開いてシリンダ錠の鍵穴を露出し、シリンダ錠をキー操作することにより解錠を可能にした錠装置が開示されている。
【０００３】
【特許文献１】特開２００２−２９５０６９号公報
【発明の開示】
【発明が解決しようとする課題】
【０００４】
しかし、特許文献１の錠装置は、蓋体をドライバー等でこじ開けることによりシリンダ錠の鍵穴を露出することが可能であり、露出したシリンダ錠をピッキングによる不正な解錠操作が可能になる為、防犯性に劣るという問題がある。
【０００５】
そこで、本発明は、既存のシリンダ錠に後付けが可能であり且つ防犯性の高い錠装置の提供を目的とする。
【課題を解決するための手段】
【０００６】
請求項１に記載の発明は、戸の見付面に取付けた錠本体と、錠本体に回転自在に取付けた回転体とを備え、回転体はキー挿入孔を有し、キー挿入孔は戸に取付けたシリンダ錠の鍵穴の外側に位置するものであり、錠本体は認証条件設定部と認証入力部と回転規制部とロック部とを有し、回転規制部はキー挿入孔から鍵孔に挿入したキーの操作による回転体の回転を規制するものであり、認証条件設定部は予め認証条件を設定する為のものであり、認証入力部はキー操作時に認証条件を入力する為のものであり、ロック部は認証条件設定部及び認証入力部と、回転規制部との間にあると共に回転規制部の移動を規制するものであり、認証条件設定部で予め設定した認証条件が認証入力部に入力された入力情報と一致したときに、ロック部が回転規制部の移動規制を解除し、回転規制部が回転体を回転規制している位置から解除位置へ移動自在になることを特徴とする。
【０００７】
請求項２に記載の発明は、請求項１に記載の発明において、回転体は、カム部と、係合部を有し、回転規制部は従動部と被係合部とを有し、ロック部が回転規制部の移動規制を解除したときに、キーの操作によって回転体が回転されることにより、カム部が従動部を押動して回転規制部を解除位置へ移動すると共に、係合部と被係合部との係合を解除することを特徴とする。
【発明の効果】
【０００８】
請求項１に記載の発明によれば、戸に取付けてある既存のシリンダ錠の鍵穴の室外側に回転体のキー挿入孔を配置して錠本体を戸の室外側に取付けて戸に装着するので、既存のシリンダ錠を設けてある戸に後付けが可能である。
解錠するときには、予め認証入力部に設定した認証条件を入力すると共に、回転体のキー挿入孔とシリンダ錠の鍵穴とに挿入したキーを回転操作することにより、シリンダ錠が解錠されるので、認証条件を入力したとしても、シリンダ錠の鍵穴と回転体とにキーを挿入して回転しないと、解錠することができない。
たとえ、錠本体をドライバー等で破壊しても、回転規制部が回転体の回転規制をしたままであるから、回転体を回転できない為、解錠できない。
即ち、解錠する為には、キーを回転体のキー挿入孔とシリンダ錠の鍵穴とに挿入すること、認証条件を入力すること、更にキーの回転操作をすることの３つの一連の操作を満たすことが必要なので、防犯性が高い。
認証条件設定部により認証条件を予め設定できるので、認証条件を任意に且つ随時設定や変更が可能であるから、防犯性が高い。
一方、正当なキー保持者は、回転体のキー挿入孔とシリンダ錠の鍵穴とにキーを差し込んで、認証条件を入力した後、キーを回転操作することにより簡単に解錠することができる。
【０００９】
請求項２に記載の発明によれば、請求項１記載の発明の効果を奏すると共に、回転体にはカム部を設け回転規制部に従動部を設けて、カム機構により回転規制部を回転体の回転規制位置と回転規制を解除する位置とに移動する構成としているので、構成が簡易で且つ製造が容易である。
【発明を実施するための最良の形態】
【００１０】
以下に、添付図面を参照して本発明の実施の形態を説明する。図１は本発明の実施の形態にかかる錠装置の図であり、（ａ）は錠装置を取付けた戸の断面図であり、（ｂ）は（ａ）のＡ−Ａ断面図であり、（ｃ）は回転規制部の裏側においてフックを除いて示す正面図である。図２は図１（ａ）に示す錠装置のＡ−Ａ断面図であり、（ａ）〜（ｄ）に解錠操作毎の状態を示した図である。図３は本実施の形態にかかる錠装置の正面図であり、（ａ）はカバーを装着した状態を示し（ｂ）はカバーを外した状態、（ｃ）はボタンガイドを外した状態を示す。図４は本実施の形態にかかる錠装置を装着した戸の部分のみを切断して示す断面図であり、図５は本実施の形態にかかる錠装置のロック部とボタンガイドとフックと従動部材を抜き出して示す断面図であり、（ａ）は閉錠状態を示し、（ｂ）は解錠状態を示す図である。
本実施の形態にかかる錠装置１は、シリンダ錠７を備える既存の玄関の戸２に後付けにより取付けてあり、回転体３と、錠本体５とを備えている。
回転体３は錠本体５に回転自在に取付けてあり、キー挿入孔９と、カム部１１と、係合部１３を備えている。キー挿入孔９は、戸２に取付けてあるシリンダ錠７の鍵穴７ａの室外側に配置してあり且つシリンダ錠７の鍵穴７ａとキー挿入孔９とにキー１５を差し込めるように、シリンダ錠７の鍵穴７ａと一致した位置に配置している。
カム部１１は回転体３の外周部に設けてあり、回転体３と共に回転移動する。
係合部１３は回転体３の外周に突設して設けてある。係合部１３は解錠方向に回転するときにのみ回転規制部１９の被係合部２７（後述する）と係合するように、施錠方向（解錠方向Ｓと逆方向）の回転側にはテーパが形成されており、施錠時には被係合部２７を乗り越えできるようになっている。
錠本体５は戸２の見付け面に取付けるものであり、認証入力部（認証条件設定部）１７と、回転規制部１９と、ロック部２１と、従動部２９を有している。本実施の形態では、認証入力部と認証条件設定部とは同一部位に設けてあり、認証入力部１７で認証条件を設定できるようになっている。
認証入力部１７は、複数のボタン１７ａから構成されており、予め設定されている所定のボタン１７ａを１８０度回して、本体２３に付されている矢印にボタン１７ａのマーク１８を合わせることにより（図３（ｃ）参照）、認証入力するようになっている。尚、図３（ｃ）において一点鎖線で抜き出して示すのは拡大図である。
認証入力部１７には図３（ｂ）に示すようにボタンガイド２５が被せてあり、認証入力部１７を認証条件設定部として用いる場合には、ボタンガイド２５をあけて基板に付されたマーク（矢印）とボタン１７ａのマーク（矢印）１８を１８０度ずらすことにより設定してあり、認証入力部１７として用いる場合（解錠時）には、ずらしてあるボタンを１８０度回すことにより、認証条件の入力となる。尚、ボタンガイド２５が被せてある状態では、ボタンのマーク及び基板のマークは見えない。
したがって、認証条件はボタンガイド２５をあけて、ボタンのマークを１８０°回転してずらせることにより、任意に且つ随時設定できる。
また、図３（ａ）に示すように、ボタンガイド２５の上には、ボタンカバー２６が被せてあり、各ボタン１７ａを隠している。
解錠するときには、ボタンガイド２５を被せたままの状態で、予め設定した認証条件、即ち、所定の番号のボタンを１８０度回転することにより、認証条件を入力する。
ボタンガイド２５は、図４（ａ）に示すように、左右に設けた合計２つのフック２８ａ、２８ｂにより係止してあり、図１の（ｂ）では２つのフック２８ａ、２８ｂはボタンガイド２５を係止して開かないようにしている。図２（ｃ）のシリンダ錠７が解錠状態の位置にあるときに、図４の（ｂ）に示すように、フック２８ａは従動アーム２９ｂに押され、フック２８ｂは従動アーム２９ａに押されて各々係止状態を解除する。
回転規制部１９は回転体３の係合部１３に係合する被係合部２７を有している。回転規制部１９は、ロック部２１により移動が規制されており、ロック部２１は認証入力部１７の各ボタン１７ａと係合し、認証入力部１７の認証入力により、各ボタン１７ａとの係合が外れることにより、回転規制部１９が移動可能状態になる。
回転規制部１９は、移動可能状態にあるときには、被係合部２７が回転体３の係合部１３に係合することにより回転体３の回転を規制する係合位置（図２（ａ）参照）と、係合解除位置（図２（ｂ））とに移動自在になる。
ロック２１は、認証入力部１７と回転規制部１９との間に設けてあると共に回転規制部１９の移動を制限しており、認証条件入力部１７で入力した入力情報が認証条件設定部で予め設定した認証条件と一致したときに、回転規制部１９の移動規制を解除するものである。
このロック２１は回転体３から離れる方向に移動自在であり、スプリング３７により回転体３側に向けて常時付勢されている。
また、ロック部２１には案内軸３５により回転規制部１９が連結されており、ロック部２１が回転体３から離れる方向に移動したときに、案内軸３５に設けたスプリング３０により回転体３から離れる方向に回転規制部１９を付勢するようになっている。
従動部２９は、交差して設けた一対の従動アーム２９ａ、２９ｂで構成されており、各従動アーム２９ａ、２９ｂは基端を錠本体５に軸支して先端を揺動自在にしてあると共に先端にはロック部２１の下端（回転体側端）が当接してある。各従動アーム２９ａ、２９ｂは、回転体３のカム部１１に当接して従動することにより基端を中心にして揺動して、ロック部２１を回転体３から離れる方向に押動する。
尚、錠本体５には、ロック部２１の室外側に、ダミープレート３９が設けてあり、仮に錠本体のカバー４１が破壊された場合でも、ロック部２１が露出しないでダミープレート３９が露出するようになっている。このダミープレート３９を操作しても解錠装置に関係ないから、解錠できない。
【００１１】
次に、本実施の形態にかかる錠装置１の取付け、作用及び効果について説明する。
錠装置１の取付けは、戸２に取付けてある既存のシリンダ錠７の鍵穴７ａの室外側に回転体３のキー挿入孔９を配置して、錠本体５を戸２の室外側に配置してねじ止めする。したがって、既存のシリンダ錠７を設けてある戸２への後付けが簡単にできる。
シリンダ錠７を解錠するときには、キー１５を回転体３のキー挿入孔９とシリンダ錠７の鍵穴９ａとに挿入して（図１（ｂ））且つ認証入力部１７に認証条件を入力すると、ロック部２１のロックが外れて回転規制部１９が移動自在になる（図２（ｂ））。そして、キー１５を回転し始めることにより、回転体３のカム部１１に当接した従動部２９が従動してロック部２１を回転体３から離すように移動する。ロック部２１が回転体３から離れる方向に移動すると、ロック部２１にスプリング３０を介して連結している回転規制部１９が回転体３から離れる方向に付勢されて移動し、回転規制部１９の被係合部２７と回転体３の係合部１３の係合が解除され、キー１５の更なる回転操作により、ロック部２１及び回転規制部１９を回転体３から離れる方向に移動させて、解錠する（図２（ｃ））。
解錠状態（図２（ｃ））から更に、キー１５を１８０度回すと、カム１１と従動部２９との当接が外れて、ロック部２１はスプリング３７の付勢力により回転体３に近い初期位置（図１（ｂ））に戻り、従動部２９はロック部２１に押され、回転規制部１９はロック部２１の移動に伴なって回転体に近い位置に戻り、施錠状態になる（図２（ｄ））。
解錠操作において、認証入力部１７に入力しなかったり、入力したが認証条件が誤っていた場合には、ロック部２１は移動できず、回転規制部１９のロック部２１がロックされたままであるから、回転体３の係合部１３と回転規制部１９の被係合部２７との係合を解除できず、キー１５を回すことができない（図２（ａ））。
本実施の形態によれば、認証入力部１７に認証条件を入力したとしても、シリンダ錠７の鍵穴７ａと回転体３のキー挿入孔９とにキー１５を挿入して回転しないと、解錠することができない。したがって、キー１５を持っていなければ、解錠できない。
また、ロック部２１を回転体３から離れる位置に移動しない限り、回転規制部１９の被係合部２７は回転体３の係合部１３に係合して回転体３の回転を規制する位置にあるから、たとえ錠本体が破壊されても、回転規制部１９が回転体３の回転を規制するので、解錠できない。
即ち、本実施の形態によれば、解錠する為には、キー１５を回転体３のキー挿入孔９とシリンダ錠７の鍵穴７ａとに挿入すること、認証入力部１７に認証条件を入力すること、更にキー１５の回転操作が一連に要求される。このように３つのことを一連に満たすことが必要なので、防犯性が高い。
一方、正当なキー保持者は、回転体３のキー挿入孔９とシリンダ錠７の鍵穴７ａとにキー１５を差し込んで、認証入力部１７に認証条件を入力した後、キー１５を回転操作することにより簡単に解錠することができる。
更に、本実施の形態によれば、認証入力部１７を認証条件設定部として用いる場合には、ボタンガイド２５を外して認証条件を随時設定や変更ができ、ボタンガイド２５は、シリンダ錠７が解錠状態の位置にあるときのみに開くことが可能となっているから、解錠状態にすることにより認証条件を任意に且つ随時に設定や変更ができる。
回転体３にはカム部１１を設け錠本体５に従動部２９を設けて、カム機構により回転規制部１９を回転体３の回転規制位置と回転規制を解除位置する位置とに移動する構成としているので、構成が簡易で且つ製造が容易である。
【００１２】
本発明は、上述した実施の形態に限らず、本発明の要旨を逸脱しない範囲で種々変形可能である。
例えば、認証入力部１７は、複数のボタン１７ａにより認証条件を入力することに限らず、声紋、指紋、虹彩、カード等の読取装置により読み取った認証条件を登録し、予め認証条件設定部に登録された認証条件と比較判断するものであってもよい。
認証入力部１７は認証条件設定部を兼ねないで、例えば、認証入力部１７と別に設けた認証条件設定部で暗証番号を電子的に設定し、認証入力部で入力した番号の入力信号を受けて比較判断する構成とするように、認証入力部と認証条件設定部とを別々に設けてもよい。
ロック部２１と回転規制部１９との連結はスプリング３０により連結することに限らず、スプリング３０を介さないで直接連結するものであってもよい。
本発明の錠装置１は玄関の戸２に限らず、室内ドアや門扉等に設けるものであってもよい。
【図面の簡単な説明】
【００１３】
【図１】本発明の実施の形態にかかる錠装置の図であり、（ａ）は錠装置を取付けた戸の断面図であり、（ｂ）は（ａ）のＡ−Ａ断面図であり、（ｃ）は回転規制部の裏側においてフックを除いて示す正面図である。
【図２】図１（ａ）に示す錠装置のＡ−Ａ断面図であり、（ａ）〜（ｄ）は解錠操作毎の状態を示した断面図である。
【図３】本実施の形態にかかる錠装置の正面図であり、（ａ）はカバーを装着した状態を示し（ｂ）はカバーを外した状態、（ｃ）はボタンガイドを外した状態を示す図である。
【図４】本実施の形態にかかる錠装置を装着した戸の部分のみを切断して示す断面図である。
【図５】本実施の形態にかかる錠装置のロック部とボタンガイドとフックと従動部材を抜き出して示す断面図である。
【符号の説明】
【００１４】
１      錠装置
２      戸
３      回転体
５      錠本体
７      シリンダ錠
７ａ    鍵穴
９      キー挿入孔
１１    カム部
１３    係合部
１５    キー
１７    認証入力部（認証条件設定部）
１９    回転規制部
２１    ロック部
２７    被係合部
２９    従動部
【図１】
2007224672.tif 000003
【図２】
2007224672.tif 000004
【図３】
2007224672.tif 000005
【図４】
2007224672.tif 000006
【図５】
2007224672.tif 000007